(57)【要約】【課題】自転車の前部取付時と後部取付時とのそれぞれに適した態様に変更して使用可能とすると共に、何れの取付状態でも幼児の保護向上を可能とする。【解決手段】自転車の前部と後部とに兼用して取付可能とされた幼児座席本体１を有し、該本体１に設けられるステップ部分２が、前部取付時には該本体１の左右方向へ張り出さない状態で前方に配置可能とされ、後部取付時には該本体１から左右両側に張り出した状態で配置可能とされるように構成され、しかも、前後何れの取付時においても荷籠に兼用可能に構成されている。【選択図】図１
2006248382.tif 000002
【特許請求の範囲】
【請求項１】
自転車の前部と後部とに兼用して取付可能とされた幼児座席本体を有し、該本体に設けられるステップ部分が、前部取付時には該本体の左右方向へ張り出さない状態で前方に配置可能とされ、後部取付時には該本体から左右両側に張り出した状態で配置可能とされるように構成されていることを特徴とする自転車用幼児座席。
【請求項２】
前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
左右に分割された前底板部と、該前底板部の前端及び内側縁から起立する前壁部及び内側板部とを有する側面視略横向きＬ字形の前底兼ステップ部材を前記座部の前方に設け、該前底兼ステップ部材を前記座部に対して左右に出し入れ可能とし、しかも、該前底兼ステップ部材を左右に出した状態において後半部側壁部の前端下部で左右方向軸の回りで上下方向に回動可能に枢着し、かつ、上方位置と下方位置とで位置決め保持可能とし、上方位置では幼児の足を座部の前方に伸ばした状態で前記前底板部に乗せると共に幼児の足の前方及び内側を前記前壁部及び内側板部で保護する前用ステップ部材となり、また、前記下方位置では幼児の足を前記左右両側の開口部から左右両側に出して前記前底板部と内側板部とで足の後面と内側面とを保護するガード部材とすると共に前記前壁部で幼児の足底を乗せるサイドステップ部材として姿勢変更可能に構成したことを特徴とする請求項１に記載の自転車用幼児座席。
【請求項３】
前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
前記座部の前方に前底板部を設け、この前底板部をその後端で前記座部の前端に左右方向軸を介して上下方向に回動可能かつ上下位置で位置決め保持可能に支持し、又は、前記前底板部を前記座部の前方に固定的に設け、この前底板部の前方及び左右両側部に、左右に分割された前壁部及び該前壁部に続く前半部側壁部で平面視略横向きＬ字形とされた前半部周壁兼ステップ部材を、前記前底板部の左右両側において前後方向軸の回りで上下方向に回動可能に枢着し、かつ、上方位置と下方位置とで位置決め保持可能とし、上方位置では前記座部の前方及び左右両側の開口部を前記前壁部及び前半部側壁部で閉鎖する前半部周壁部材となり、また、前記下方位置では前記座部の前方及び左右両側の開口部を開放して幼児の足を前記左右両側の開口部から左右両側に出して前記前壁部及び前半部側壁部で幼児の足の前面と内側面とを保護するガード部材となると共に前記前半部側壁部の遊端側に前後方向軸の回りで略９０°の範囲で展開・折り畳み可能に設けたステップ部材を幼児の足底を乗せるサイドステップとなるよう姿勢変更可能に構成したことを特徴とする請求項１に記載の自転車用幼児座席。
【請求項４】
前記前壁部の下半部を切除し、該切除部を覆う前壁部と該前壁部の下端から後方に伸びる前底板部とを有する側面視略横向きＬ字形の前底兼前用ステップ部材を前記座部の前方に設け、該前底兼前用ステップ部材の後端を前記座部に対して左右方向軸の回りで上下方向に回動可能に枢着し、かつ、上方位置と下方位置とで位置決め保持可能とし、上方位置では、座部の前方下部を閉鎖し、下方位置では座部の前方下部を開放させると共に前下方に伸ばした幼児の足を乗せる前用ステップ部材とし、また、前記前半部側壁部の後端に前記サイドステップとしたときの幼児の足の後面を保護するガード部材を上下方向軸の回りで略９０°の範囲で展開・折り畳み可能に設けたことを特徴とする請求項３に記載の自転車用幼児座席。
【請求項５】
前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
前記座部の前方に座部の前方を覆う前壁部と該前壁部の下端から後方に伸びる前底板部とを有する側面視略横向きＬ字形の前底兼前用ステップ部材を設け、該前底兼前用ステップ部材の後端を前記座部に対して左右方向軸の回りで上下方向に回動可能に枢着し、かつ、上方位置と下方位置とで位置決め保持可能とし、上方位置では座部の前方下部を閉鎖し、下方位置では座部の前方下部を開放させると共に前下方に伸ばした幼児の足を乗せる前用ステップ部材とし、
また、前記左右両側の開口部を閉鎖可能とする前半部側壁部と該前半部側壁部の上下端部から左右方向外側へ屈曲突出して形成された前後ガード部とで略コ字形とされ、かつ、該前後ガード部の間で前記前半部側壁部の前面側に左右方向外側に向けて突出状態で取り付けられたサイドステップ部を有する前半部側壁兼ステップ部材をその後端において前記後半部側壁部の前端付近に上下方向軸の回りで前後方向に回動可能に枢着し、さらに、前記前半部側壁兼ステップ部材を前記上下方向軸と共に前記後半部側壁部の前端付近下部において該後半部側壁部に対して左右方向軸の回りで上下方向に回動可能に枢着し、前方上部位置では前記左右両側の開口部を前記前半部側壁部で閉鎖状態に保持可能とし、前方下部位置では前記左右両側の開口部を開放して幼児の足を前記左右両側の開口部から左右両側に出して前記前半部側壁部及び前後ガード部で幼児の足の内側面と前後面とを保護すると共に前記サイドステップ部に幼児の足底を乗せる状態に保持可能とし、後方上部位置では前記左右両側の開口部を開放して前記前半部側壁兼ステップ部材を後半部側壁部の外側面に沿って収納状態で保持可能としたことを特徴とする請求項１に記載の自転車用幼児座席。
【請求項６】
前記サイドステップ部は、前半部側壁部に対して高さ調整可能に取り付けられていることを特徴とする請求項５に記載の自転車用幼児座席。
【請求項７】
前後方向に伸びる左右一対の側板部と、該左右一対の側板部の前端側を左右方向に連結する連結部とを有する平面視略コ字形の前壁兼延長背凭れ部材を、前記後半部側壁部上に設け、前記前壁兼背凭れ部材の左右一対の側板部の後端部を前記後半部側壁部の前端上部付近に左右方向軸の回りで前後方向に回動可能に枢着し、前方位置で前記座部の前方上部を覆う前壁部となり、後方位置で前記後壁部の上部に延長された背凭れ部となるように前後方向位置でそれぞれ位置決め保持可能とされていることを特徴とする請求項２、５、６の何れかに記載の自転車用幼児座席。
【請求項８】
前記座部は、前端から後方に向けて低くなる傾斜面とされ、または、前後方向の中途部が高く、該中途部から前後方向両端に向けて低くなる山形傾斜面としてあることを特徴とする請求項２〜７の何れかに記載の自転車用幼児座席。
【発明の詳細な説明】
【技術分野】
【０００１】
本発明は、自転車用幼児座席に関するものである。
【背景技術】
【０００２】
自転車用幼児座席として、荷籠と兼用としたものが種々公知であり、例えば、荷籠の前半部の可動側枠を下方へ回動可能として、荷籠の底面部、前部枠、後部枠及び両側枠で囲まれた幼児座席を形成し、幼児の両足を荷籠の前半部両側の可動側枠を下方へ回動させて形成した開口部から両側へ出すようにし、自転車の前部に取り付ける時も後部に取り付けるときも同じ態様で使用するものが公知である（特許文献１参照）。
また、同様な目的で前記荷籠の前半部の可動側枠に相当する部材を底面部前端に左右方向軸の回りで上下方向に回動可能に枢着し、上方位置では荷籠の前半部の左右両側の開口部を閉鎖して荷籠として使用できるようにし、下方位置では荷籠の前半部の左右両側の開口部を開放して幼児の両足を該開口部から両外側に出して幼児の足底を乗せるサイドステップとして使用できるようにしたものも公知である（例えば、特許文献２参照）。
【特許文献１】実願昭４７−５３５４８号（実開昭４９−１１４５１号）のマイクロフィルム
【特許文献２】特開平１１−１２９９５４号公報
【発明の開示】
【発明が解決しようとする課題】
【０００３】
前記特許文献１及び特許文献２のものは、自転車の前部と後部に兼用して取付可能とされているが、何れのものも、自転車の前部に取り付けて使用する態様と後部に取り付けて使用する態様とが同一とされている。
ところが、このような自転車の前部取付時と後部取付時とで同じ態様で使用するものでは、次のような問題点がある。
即ち、自転車の前部取付時では、ハンドルの前や左右のハンドルの間に幼児座席を設置することになるため、ステップ部材が幼児座席から左右両側に張り出していると、幼児の両足が障害物に干渉したり負傷し易くなる。
【０００４】
また、自転車の後部取付時では、幼児の両足を乗せるステップ部材を自転車の後輪を跨いで左右両側に張り出して設けることが必要となり、自転車の前部取付時とは異なった態様で使用可能とすることが望ましいが、前記特許文献１、２のものは、このような異なる態様で使用する構成とされていない。
さらに、幼児が小さい間は、身長が低く体重も軽いため、幼児座席の容積も小さくてもよいが、幼児が大きくなってくると、幼児座席の容積を広げられるようにしておくことが必要となり、また、ステップも伸ばせるようにしておくことが必要となるが、前記特許文献１、２のものは、このような構成とされていない。
【０００５】
本発明は、従来の自転車用幼児座席の上記問題点に鑑みて提案されたものであって、その目的とするところは、自転車の前部取付時と後部取付時とのそれぞれに適した態様に変更して使用可能とすると共に、何れの取付状態でも幼児の保護向上を可能とした自転車用幼児座席を提供することにある。
【課題を解決するための手段】
【０００６】
前記目的を達成するために本発明は、自転車の前部と後部とに兼用して取付可能とされた幼児座席本体を有し、該本体に設けられるステップ部分が、前部取付時には該本体の左右方向へ張り出さない状態で前方に配置可能とされ、後部取付時には該本体から左右両側に張り出した状態で配置可能とされるように構成されていることを特徴としている。
前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
左右に分割された前底板部と、該前底板部の前端及び内側縁から起立する前壁部及び内側板部とを有する側面視略横向きＬ字形の前底兼ステップ部材を前記座部の前方に設け、該前底兼ステップ部材を前記座部に対して左右に出し入れ可能とし、しかも、該前底兼ステップ部材を左右に出した状態において後半部側壁部の前端下部で左右方向軸の回りで上下方向に回動可能に枢着し、かつ、上方位置と下方位置とで位置決め保持可能とし、上方位置では幼児の足を座部の前方に伸ばした状態で前記前底板部に乗せると共に幼児の足の前方及び内側を前記前壁部及び内側板部で保護する前用ステップ部材となり、また、前記下方位置では幼児の足を前記左右両側の開口部から左右両側に出して前記前底板部と内側板部とで足の後面と内側面とを保護するガード部材とすると共に前記前壁部で幼児の足底を乗せるサイドステップ部材として姿勢変更可能に構成している。
【０００７】
また、前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
前記座部の前方に前底板部を設け、この前底板部をその後端で前記座部の前端に左右方向軸を介して上下方向に回動可能かつ上下位置で位置決め保持可能に支持し、又は、前記前底板部を前記座部の前方に固定的に設け、この前底板部の前方及び左右両側部に、左右に分割された前壁部及び該前壁部に続く前半部側壁部で平面視略横向きＬ字形とされた前半部周壁兼ステップ部材を、前記前底板部の左右両側において前後方向軸の回りで上下方向に回動可能に枢着し、かつ、上方位置と下方位置とで位置決め保持可能とし、上方位置では前記座部の前方及び左右両側の開口部を前記前壁部及び前半部側壁部で閉鎖する前半部周壁部材となり、また、前記下方位置では前記座部の前方及び左右両側の開口部を開放して幼児の足を前記左右両側の開口部から左右両側に出して前記前壁部及び前半部側壁部で幼児の足の前面と内側面とを保護するガード部材となると共に前記前半部側壁部の遊端側に前後方向軸の回りで略９０°の範囲で展開・折り畳み可能に設けたステップ部材を幼児の足底を乗せるサイドステップとなるよう姿勢変更可能に構成している。
【０００８】
また、前記前壁部の下半部を切除し、該切除部を覆う前壁部と該前壁部の下端から後方に伸びる前底板部とを有する側面視略横向きＬ字形の前底兼前用ステップ部材を前記座部の前方に設け、該前底兼前用ステップ部材の後端を前記座部に対して左右方向軸の回りで上下方向に回動可能に枢着し、かつ、上方位置と下方位置とで位置決め保持可能とし、上方位置では、座部の前方下部を閉鎖し、下方位置では座部の前方下部を開放させると共に前下方に伸ばした幼児の足を乗せる前用ステップ部材とし、また、前記前半部側壁部の後端に前記サイドステップとしたときの幼児の足の後面を保護するガード部材を上下方向軸の回りで略９０°の範囲で展開・折り畳み可能に設けている。
【０００９】
また、前記幼児座席本体は、幼児を乗せるための座部と、座部の後半部周囲を囲む後壁部及び左右両側の後半部側壁部と、座部の前部に設けられた幼児用グリップハンドルと、後半部側壁部の前端と幼児用グリップハンドルとの間で左右両側へ向けて開口する開口部とを備え、さらに、
前記座部の前方に座部の前方を覆う前壁部と該前壁部の下端から後方に伸びる前底板部とを有する側面視略横向きＬ字形の前底兼前用ステップ部材を設け、該前底兼前用ステップ部材の後端を前記座部に対して左右方向軸の回りで上下方向に回動可能に枢着し、かつ、上方位置と下方位置とで位置決め保持可能とし、上方位置では座部の前方下部を閉鎖し、下方位置では座部の前方下部を開放させると共に前下方に伸ばした幼児の足を乗せる前用ステップ部材とし、
また、前記左右両側の開口部を閉鎖可能とする前半部側壁部と該前半部側壁部の上下端部から左右方向外側へ屈曲突出して形成された前後ガード部とで略コ字形とされ、かつ、該前後ガード部の間で前記前半部側壁部の前面側に左右方向外側に向けて突出状態で取り付けられたサイドステップ部を有する前半部側壁兼ステップ部材をその後端において前記後半部側壁部の前端付近に上下方向軸の回りで前後方向に回動可能に枢着し、さらに、前記前半部側壁兼ステップ部材を前記上下方向軸と共に前記後半部側壁部の前端付近下部において該後半部側壁部に対して左右方向軸の回りで上下方向に回動可能に枢着し、前方上部位置では前記左右両側の開口部を前記前半部側壁部で閉鎖状態に保持可能とし、前方下部位置では前記左右両側の開口部を開放して幼児の足を前記左右両側の開口部から左右両側に出して前記前半部側壁部及び前後ガード部で幼児の足の内側面と前後面とを保護すると共に前記サイドステップ部に幼児の足底を乗せる状態に保持可能とし、後方上部位置では前記左右両側の開口部を開放して前記前半部側壁兼ステップ部材を後半部側壁部の外側面に沿って収納状態で保持可能としている。
【００１０】
また、前記サイドステップ部は、前半部側壁部に対して高さ調整可能に取り付けられている。
また、前記自転車用幼児座席には、前後方向に伸びる左右一対の側板部と、該左右一対の側板部の前端側を左右方向に連結する連結部とを有する平面視略コ字形の前壁兼延長背凭れ部材を、前記後半部側壁部上に設け、前記前壁兼背凭れ部材の左右一対の側板部の後端部を前記後半部側壁部の前端上部付近に左右方向軸の回りで前後方向に回動可能に枢着し、前方位置で前記座部の前方上部を覆う前壁部となり、後方位置で前記後壁部の上部に延長された背凭れ部となるように前後方向位置でそれぞれ位置決め保持可能とされている。
【００１１】
また、前記座部は、前端から後方に向けて低くなる傾斜面とされ、または、前後方向の中途部が高く、該中途部から前後方向両端に向けて低くなる山形傾斜面とされている。
【発明の効果】
【００１２】
本発明によれば、ステップ部分が、前部取付時には、幼児座席本体の左右方向へ張り出さない状態で前方に配置可能とされているために、幼児が小さい間は幼児座席本体を自転車の前部に取り付けて使用することにより幼児をその両足を含めて幼児座席本体内に座乗させて保護することができる。また、後部取付時には、ステップ部分を幼児座席本体から左右両側に張り出した状態で配置可能とされているため、幼児が大きくなってくると、幼児座席本体を自転車の後部に取り付けて幼児の両足を幼児座席本体の左右両側に出して座乗させることができる。このように本発明の自転車用幼児座席によれば、自転車の前部取付時と後部取付時とのそれぞれに適した態様に変更して使用可能となり、しかも、何れの取付状態でも幼児を安定した姿勢で座乗させることができ、両足の保護も向上させることができる。
【発明を実施するための最良の形態】
【００１３】
本発明の自転車用幼児座席は、自転車の前部と後部とに兼用して取付可能とされた幼児座席本体１を有し、該本体１に設けられるステップ部分２が、前部取付時には該本体１の左右方向へ張り出さない状態で前方に配置可能とされ、後部取付時には該本体１から左右両側に張り出した状態で配置可能とされるように構成され、しかも、前後何れの取付時においても荷籠に兼用可能に構成されていることを特徴としている。
以下、本発明に係る自転車用幼児座席の実施の形態を図面を参照して説明する。
第１の実施形態の説明
図１（Ａ）〜（Ｄ）は、本発明の第１の実施形態を示すもので、幼児座席本体１は、幼児を乗せるための座部３と、座部３の後半部周囲を囲む後壁部４及び左右両側の後半部側壁部５、５と、座部３の前中央部に設けられた幼児用グリップハンドル６と、後半部側壁部５、５の前端と幼児用グリップハンドル６との間で左右両側へ向けて開口する開口部７、７とを備え、さらに、左右に分割された前底板部８、８と、該前底板部８、８の前端及び内側縁から起立する前壁部９、９及び内側板部１０、１０とを有する側面視略横向きＬ字形の前底兼ステップ部材１１、１１を前記座部３の前方に設け、該前底兼ステップ部材１１、１１を前記座部３に対して左右に出し入れ可能とし、しかも、該前底兼ステップ部材１１、１１を左右に出した状態において後半部側壁部５、５の前端下部で左右方向軸１２の回りで上下方向に回動可能に枢着し、かつ、上方位置と下方位置とで位置決め保持可能とし、上方位置では幼児の足を座部３の前方に伸ばした状態で前記前底板部８、８に乗せると共に幼児の足の前方及び内側を前記前壁部９、９及び内側板部１０、１０で保護する前用ステップ部材２ａとなり、また、前記下方位置では幼児の足を前記左右両側の開口部７、７から左右両側に出して前記前底板部８、８と内側板部１０、１０とで足の後面と内側面とを保護するガード部材２ｂとすると共に前記前壁部９、９で幼児の足底を乗せるサイドステップ部材２ｃとして姿勢変更可能に構成している。
【００１４】
座部３は前方から後方に向けて低くなる傾斜面とされており、幼児を座乗させたとき、幼児が後壁部４に背中を自然に凭れ掛け易くしている。
前底兼ステップ部材１１、１１は、座部３に対して左右に出し入れ可能とするために、後端側に左右方向に伸びる長孔１３、１３をそれぞれ有し、この長孔１３、１３にはガイドピン１４、１４が挿通されている。このガイドピン１４、１４は、左右方向軸１２の回りで上下方向に回動可能とされた基板１５に取り付けられている。左右方向軸１２は、座部３に回動可能に支持されている。
【００１５】
上記長孔１３、１３が形成されている前底兼ステップ部材１１、１１の後端側は、左右方向内側に延長されており、この延長部がスライド可能に重ね合わされている。
幼児用グリップハンドル６は、座部３の前端から前下方に延長された前延長部材１６の前端に起立する支持部材１７の上端に取り付けられている。
前底兼ステップ部材１１、１１は、上方位置にあるとき、前底板部８、８が前延長部材１６の上面に載せられて左右方向に出し入れ可能に支持され、左右方向外側端部まで引き出したとき、前延長部材１６の左右両側から外れて下方へ略９０°の範囲内で回動可能となるように構成されており、これら上方位置と下方位置とで位置決め保持させるためのストッパや係止手段等の規制及びロック部材（図示省略）が適宜設置される。下方位置は、前底兼ステップ部材１１、１１がほぼ垂直姿勢となる程度に設定される。
【００１６】
また、幼児座席本体１には、前後方向に伸びる左右一対の側板部１８、１８と、該左右一対の側板部１８、１８の前端側を左右方向に連結する連結部１９とを有する平面視略コ字形の前壁兼延長背凭れ部材２０を、後半部側壁部５、５上に設け、左右一対の側板部１８、１８の後端部を前記後半部側壁部５、５の前端上部付近に左右方向軸２１、２１の回りで前後方向に回動可能に枢着し、前方位置で座部３の前方上部を覆う前壁部１９ａとなり、後方位置で後壁部４の上部に延長された背凭れ部１９ｂとなるように、前方位置では支持部材１７に、また、後方位置では後壁部４にそれぞれ止めネジ２２等の適宜の位置決め保持手段で位置決め保持可能とされている。
【００１７】
この第１の実施形態の場合、幼児が小さい間は、本発明に係る幼児座席本体１を自転車の前部（ハンドル部）に取り付けて使用される。その際、図１（Ａ）に示すように、前底兼ステップ部材１１、１１を上方位置に上げて左右方向内側に収納し、ステップ部分２が幼児座席本体１から左右両側に張り出さない状態とし、前壁兼延長背凭れ部材２０を前方位置に位置決め保持させて使用される。この場合、座部３が前方から後方に向けて低くなる傾斜面とされ、この座部３の前端から前下方に延長された前延長部材８、８に前底兼ステップ部材１１、１１が載置されているため、座部３と前底兼ステップ部材１１、１１とで前後方向に山形傾斜面を形成することになり、該座部３にやや後傾姿勢で座乗される幼児は、両足を膝の所で山形に折り曲げた状態で足底を前下方に斜めに伸ばした楽な姿勢で座乗できることになる。上記幼児の足は、幼児座席本体１内に形成される前用ステップ部材２ａに乗せられることになるため、保護が向上する。
【００１８】
また、幼児が大きくなってくると、本発明に係る幼児座席本体１を自転車の後部（荷台）に取り付けて使用される。その際、図１（Ｄ）に示すように、前底兼ステップ部材１１、１１を左右両外側に引き出すと共に、下方位置に回動させて位置決め保持させ、前壁兼延長背凭れ部材２０を後方位置に位置決め保持させて使用される。この場合では、幼児を座部３にやや後傾姿勢で座乗させ、成長した幼児の背中上部を後壁部４の上部に延長された背凭れ部１９ｂによって支持可能とし、両足を左右両側の開口部７、７から左右両外側に張り出させて楽な姿勢で座乗させることができる。そして、左右両側の開口部７、７から左右両側に出した幼児の足は、前底板部８、８と内側板部１０、１０とからなるガード部材２ｂによって足の後面と内側面とを保護して後輪に巻き込まれたり、干渉しないようにし、前壁部９、９をサイドステップ部材２ｃとして幼児の足底を安定して乗せることが可能となる。なお、荷籠として使用する場合には、自転車の前後何れの取付状態であっても、図１（Ａ）の状態とされる。
【００１９】
第２の実施形態の説明
図２（Ａ）〜（Ｇ）は、本発明の第２の実施形態を示すもので、この場合の幼児座席本体１は、幼児を乗せるための座部２５と、座部２５の後半部周囲を囲む後壁部２６及び左右両側の後半部側壁部２７、２７と、座部２５の前中央部に設けられた幼児用グリップハンドル２８と、後半部側壁部２７、２７の前端と幼児用グリップハンドル２８との間で左右両側へ向けて開口する開口部２９、２９とを備え、さらに、前記座部２５の前方に前底板部３０を設け、この前底板部３０をその後端で前記座部２５の前端に左右方向軸３１を介して上下方向に回動可能かつ上下位置で位置決め保持可能に支持し、又は、前記前底板部３０を前記座部２５の前方に固定的に設け、この前底板部３０の前方及び左右両側部に、左右に分割された前壁部３２、３２及び該前壁部３２、３２に続く前半部側壁部３３、３３で平面視略横向きＬ字形とされた前半部周壁兼ステップ部材３４、３４を、前記前底板部３０の左右両側において前後方向軸３５、３５の回りで上下方向に回動可能に枢着し、かつ、上方位置と下方位置とで位置決め保持可能とし、上方位置では前記座部２５の前方及び左右両側の開口部２９、２９を前記前壁部３２、３２及び前半部側壁部３３、３３で閉鎖する前半部周壁部材３６、３６となり、また、前記下方位置では前記座部２５の前方及び左右両側の開口部２９、２９を開放して幼児の足を前記左右両側の開口部２９、２９から左右両側に出して前記前壁部３２、３２及び前半部側壁部３３、３３で幼児の足の前面と内側面とを保護するガード部材２ｂとなると共に前記前半部側壁部３３、３３の遊端側に前後方向軸３７、３７の回りで略９０°の範囲で展開・折り畳み可能に設けたステップ板部３８、３８を幼児の足底を乗せるサイドステップ部材２ｃとなるよう姿勢変更可能に構成している。
【００２０】
座部２５は前方から後方に向けて低くなる傾斜面とされており、幼児を座乗させたとき、幼児が後壁部２６に背中を自然に凭れ掛け易くしている。
幼児用グリップハンドル２８は、座部２５の前端から前下方に延長された前延長部材３９の前端に起立する支持部材４０の上端に取り付けられている。
前底板部３０は、座部２５の前端から前方に水平に延長して、又は、前下方に傾斜延長して固定的、又は、左右方向軸３１の回りで上下方向に回動可能かつ上下位置で位置決め保持可能に設けられる。左右方向軸３１は、座部２５の前端と前底板部３０の後端とを枢着するヒンジ軸として設けられる。
【００２１】
前半部周壁兼ステップ部材３４、３４は、前底板部３０の左右両側部において、前後方向軸３５、３５の回りで上下方向に略１８０°の範囲内で回動可能に枢着され、上下位置で適宜の位置決め保持手段により位置決め保持可能とされる。なお、上方位置では、係止部材３４ａによって左右両側の善は部周壁兼ステップ部材３４，３４の上部の合わせ部を係止するようにしている。
ステップ板部３８、３８は、前半部周壁兼ステップ部材３４、３４の上方位置では、幼児の座乗を妨げないように前半部側壁部３３、３３の内側に折り畳まれ、下方位置では、左右方向外側に展開されて幼児の足底を乗せ得るように構成される。
【００２２】
この第２の実施形態の場合、幼児が小さい間は、自転車の前部に取り付けて使用する。その際、図２（Ａ）に示すように、左右両側の前半部周壁兼ステップ部材３４、３４は、上方位置に上げて座部２５の前方及び左右両側の開口部２９、２９を閉鎖した状態とし、前底板部３０も上に上げた位置に保持しておく。そして、幼児が少し大きくなると、図２（Ｂ）に示すように、前底板部３０を下に下げた位置に保持し、幼児が両足を膝のところで山形に曲げて足先を座部２５の前下方に伸ばして座乗できるようにする。
また、幼児が大きくなってくると、自転車の後部に取り付けて使用する。その際、図２（Ｄ）に示すように、左右両側の前半部周壁兼ステップ部材３４、３４は、下に下げた位置に保持し、ステップ板部３８、３８を左右両外側にほぼ水平に展開して使用する。この場合、前底板部３０は、上下何れの位置で使用してもよい。なお、荷籠として使用する場合には、自転車の前後何れに取り付けた場合でも、図２（Ａ）又は図２（Ｂ）の状態とされる。
【００２３】
第３の実施形態の説明
図３〜図９は本発明の第３の実施形態を示すもので、前記第２の実施形態における前記前壁部３２、３２の下半部を切除３２ａ、３２ａし、該切除部３２ａ、３２ａを覆う前壁部４１と該前壁部４１の下端から後方に伸びる前底板部４２とを有する側面視略横向きＬ字形の前底兼前用ステップ部材４３を前記座部２５の前方に設け、該前底兼前用ステップ部材４３の後端を前記座部２５に対して左右方向軸４４の回りで上下方向に回動可能に枢着し、かつ、上方位置と下方位置とで位置決め保持可能とし、上方位置では、座部２５の前方下部を閉鎖し、下方位置では座部２５の前方下部を開放させると共に前下方に伸ばした幼児の足を乗せる前用ステップ部材４５とし、また、前記前半部側壁部３３、３３の後端に前記サイドステップ部材２ｃとしたときの幼児の足の後面を保護するガード部材４６を上下方向軸４７の回りで略９０°の範囲で展開・折り畳み可能に設けている。
【００２４】
この第３の実施形態の場合、幼児が小さい間は、自転車の前部に取り付けて使用される。その際、図３に示すように、左右両側の前半部周壁兼ステップ部材３４、３４は、上方位置に上げて座部２５の前方及び左右両側の開口部２９、２９を閉鎖した状態とし、前底兼前用ステップ部材４３も上に上げた位置に保持しておく。そして、幼児が少し大きくなると、図４、図５に示すように、前底兼前用ステップ部材４３を下に下げた位置に保持し、幼児が両足を膝のところで山形に曲げて足先を座部２５の前下方に伸ばして座乗できるようにする。
【００２５】
また、幼児が大きくなってくると、自転車の後部に取り付けて使用される。その際、図６、図７に示すように、左右両側の前半部周壁兼ステップ部材３４、３４は、下に下げた位置に保持し、ステップ板部３８、３８を左右両外側にほぼ水平に展開すると共にガード部材４６を左右両外側にほぼ直角に展開して使用される。この場合、前底兼前用ステップ部材４３は、上下何れの位置で使用してもよい。なお、荷籠として使用する場合には、自転車の前後何れに取り付けた場合でも、図３の状態とされる。
第４の実施形態の説明
図１０（Ａ）〜（Ｄ）及び図１１は本発明の第４の実施形態を示すものであって、この場合の幼児座席本体１は、幼児を乗せるための座部５０と、座部５０の後半部周囲を囲む後壁部５１及び左右両側の後半部側壁部５２、５２と、座部５０の前中央部に設けられた幼児用グリップハンドル５３と、後半部側壁部５２、５２の前端と幼児用グリップハンドル５３との間で左右両側へ向けて開口する開口部５４、５４とを備え、さらに、前記座部５０の前方に座部５０の前方を覆う前壁部５５と該前壁部５５の下端から後方に伸びる前底板部５６とを有する側面視略横向きＬ字形の前底兼前用ステップ部材５７を設け、該前底兼前用ステップ部材５７の後端を前記座部５０に対して左右方向軸５８の回りで上下方向に回動可能に枢着し、かつ、上方位置と下方位置とで位置決め保持可能とし、上方位置では座部５０の前方下部を閉鎖し、下方位置では座部５０の前方下部を開放させると共に前下方に伸ばした幼児の足を乗せる前用ステップ部材５９とし、また、前記左右両側の開口部５４、５４を閉鎖可能とする前半部側壁部６０、６０と該前半部側壁部６０、６０の上下端部から左右方向外側へ屈曲突出して形成された前後ガード部６１，６２，６１，６２とで略コ字形とされ、かつ、該前後ガード部６１，６２，６１，６２の間で前記前半部側壁部６０，６０の前面側に左右方向外側に向けて突出状態で取り付けられたサイドステップ部６３，６３を有する前半部側壁兼ステップ部材６４，６４をその後端において前記後半部側壁部５２，５２の前端付近に上下方向軸６５，６５の回りで前後方向に回動可能に枢着し、さらに、前記前半部側壁兼ステップ部材６４，６４を前記上下方向軸６５，６５と共に前記後半部側壁部５２，５２の前端付近下部において該後半部側壁部５２，５２に対して左右方向軸６６，６６の回りで上下方向に回動可能に枢着し、前方上部位置では前記左右両側の開口部５４，５４を前記前半部側壁部６０，６０で閉鎖状態に保持可能とし、前方下部位置では前記左右両側の開口部５４，５４を開放して幼児の足を前記左右両側の開口部５４，５４から左右両側に出して前記前半部側壁部６０，６０及び前後ガード部６１，６２，６１，６２で幼児の足の内側面と前後面とを保護すると共に前記サイドステップ部６３，６３に幼児の足底を乗せる状態に保持可能とし、後方上部位置では前記左右両側の開口部５４，５４を開放して前記前半部側壁兼ステップ部材６４，６４を後半部側壁部５２，５２の外側面に沿って収納状態で保持可能としている。
【００２６】
前記左右方向軸６６，６６は、後半部側壁部の前端付近下部に左右方向外側に向けて突出させて設けられ、しかも、軸芯回りで回動可能に支持される。この左右方向軸６６，６６に対して、上下方向軸６５，６５は左右方向軸６６，６６に直接取り付けられる。これによって、左右方向軸６６，６６は、その軸芯回りで回動するとき、上下方向軸６５，６５を一体的に回動させられることになる。この上下方向軸６５，６５には、前半部側壁兼ステップ部材６４，６４の後ガード部６２，６２が該上下方向軸６５，６５の軸芯回りで回動可能に枢着されている。なお、左右方向軸６６，６６は、左右両側で別々に設けてもよいが、左右方向に貫通する１本の軸で構成してもよい。
【００２７】
幼児用グリップハンドル５３は、四角形枠状とされ、下端の取付基部が座部５０の前端から前下方に延長された前延長部材６７の前端に起立状態で取り付けられている。
また、前記サイドステップ部６３，６３は、前半部側壁部６０，６０に対して高さ調整可能に取り付けられている。そのために、高さ方向に適宜の間隔で設けた複数の取付孔６９に取付部材７０を選択的に取り付けるようにした場合を例示している。なお、取付孔６９は、高さ方向の長孔とし、無段階的に高さ調整可能としてもよい。
また、上記第４の実施形態の幼児座席本体１には、前後方向に伸びる左右一対の側板部７１，７１と、該左右一対の側板部７１，７１の前端側を左右方向に連結する連結部７２とを有する平面視略コ字形の前壁兼延長背凭れ部材７３を、前記後半部側壁部５２，５２上に設け、前記前壁兼背凭れ部材７３の左右一対の側板部７１，７１の後端部を前記後半部側壁部５２，５２の前端上部付近に左右方向軸７４，７４の回りで前後方向に回動可能に枢着し、前方位置で前記座部５０の前方上部を覆う前壁部７５となり、後方位置で前記後壁部５１の上部に延長された背凭れ部７６となるように、前方位置では幼児グリップハンドル５３の下端基部に、また、後方位置では後壁部５１にそれぞれ止めネジ７７等の適宜の位置決め保持手段で位置決め保持可能とされている。
【００２８】
また、前記座部５０は、前端から後方に向けて低くなる傾斜面とされ、前底兼前用ステップ部材５７の前底板部５６が前方に向けて低くなるように座部５０の前端に取り付けられていることによって、全体として、前後方向の中途部が高く、該中途部から前後方向両端に向けて低くなる山形傾斜面とされている。
この第４の実施形態の場合、幼児が小さい間は、自転車の前部に取り付けて使用される。その際、図１０（Ａ）に示すように、前底兼前用ステップ部材５７を上方位置に上げておき、前半部側壁兼ステップ部材６４，６４を後方上部位置へ回動させてステップ部分が幼児座席本体１から左右両側に張り出さない状態とし、前壁兼延長背凭れ部材６４を前方位置に位置決め保持させて使用される。この場合、座部５０が前方から後方に向けて低くなる傾斜面とされ、この座部５０の前端から前下方に延長された前底兼前用ステップ部材５７が配置されているため、座部５０と前底兼前用ステップ部材５７とで前後方向に山形傾斜面を形成することになり、該座部５０にやや後傾姿勢で座乗される幼児は、両足を膝の所で山形に折り曲げた状態で足底を前下方に斜めに伸ばした楽な姿勢で座乗できることになる。上記幼児の足は、幼児座席本体１内に配置された前底兼前用ステップ部材５７に乗せられることになるため、保護が向上する。この場合、幼児が少し大きくなると、前底兼前用ステップ部材５７を下方位置にさげてやると、幼児が足を伸ばし易くなり、楽に座乗させることができる。
【００２９】
また、幼児が大きくなってくると、本発明に係る幼児座席本体１を自転車の後部に取り付けて使用される。その際、図１０（Ｂ）〜（Ｄ）に示すように、前半部側壁兼ステップ部材６４，６４を上下方向軸６５，６５の回りで前方へ略１８０°回動させ、続いて左右方向軸６６，６６の回りで下方へ略９０°回動させて位置決め保持させ、前壁兼延長背凭れ部材７３を後方位置に位置決め保持させて使用される。この場合では、幼児を座部５０にやや後傾姿勢で座乗させ、成長した幼児の背中上部を後壁部５１の上部に延長された背凭れ部７６によって支持可能とし、両足を左右両側の開口部５４，５４から左右両外側に張り出させて楽な姿勢で座乗させることができる。そして、左右両側の開口部５４，５４から左右両側に出した幼児の足は、前半部側壁兼ステップ部材６４，６４の前半部側壁部６０，６０及び前後ガード部６１，６２，６１，６２によって足の内側面と前後面とを保護して後輪に巻き込まれたり、干渉しないようにし、サイドステップ部６３，６３に幼児の足底を安定して乗せることが可能となる。サイドステップ部６３，６３は、高さ調整可能としてあることによって、幼児の成長に合わせて高さが調整される。なお、荷籠として使用する場合には、自転車の前後何れの取付状態であっても、図１０（Ａ）の状態とされる。
【００３０】
前記各実施形態における幼児座席本体の主要部材は、樹脂製とされるが、他の材料で構成してもよい。また、座部には、適宜のクッション材が設置され、また、シートベルトが装備される。さらに、自転車の前部取付時において、風防を幼児座席本体の前部に取り付けることができ、その際、前壁部を備えることによって、幼児の足が保護されるため、下部の風防を省略することが可能となる。なお、本発明は、上記実施形態にのみ限定されるものではなく、特許請求の範囲に記載した意味と範囲内で種々変形して実施してもよい。
【図面の簡単な説明】
【００３１】
【図１】（Ａ）〜（Ｄ）は本発明の第１の実施形態の使用態様変化を示す斜視説明図である。
【図２】（Ａ）〜（Ｄ）は本発明の第２の実施形態の使用態様変化を示す斜視説明図、（Ｅ）〜（Ｇ）は各枢着部の概略説明図である。
【図３】本発明の第３の実施形態の前部取付時の状態を示す側面図である。
【図４】上記第３の実施形態の前用ステップ部材を下げた状態の側面図である。
【図５】上記第３の実施形態の前用ステップ部材を下げた状態の斜視図である。
【図６】上記第３の実施形態の後部取付時の状態を示す側面図である。
【図７】上記第３の実施形態の後部取付時の状態を示す斜視図である。
【図８】上記第３の実施形態の座部と前底兼前用ステップ部材との枢着部の概略側面図である。
【図９】上記第３の実施形態の前半部側壁兼ステップ部材と後部ガード部との枢着部の概略平面図である。
【図１０】（Ａ）〜（Ｄ）は本発明の第４の実施形態の使用態様変化を示す斜視説明図である。
【図１１】上記第４の実施形態の前底兼前用ステップ部材及び前半部側壁兼ステップ部材の枢着部の概略側面図である。
【符号の説明】
【００３２】
１    幼児座席本体
２    ステップ部
３    座部
４    後壁部
５    後半部側壁部
６    幼児用グリップハンドル
７    開口部
１１    前底兼ステップ部材
２０    前壁部兼延長背凭れ部
２５    座部
２６    後壁部
２７    後半部側壁部
２８    幼児用グリップハンドル
２９    開口部
３０    前底板部
３２    前壁部
３３    前半部側壁部
３４    前半部周壁兼ステップ部材
３８    ステップ板部
４３    前底兼前用ステップ部材
５０    座部
５１    後壁部
５２    後半部側壁部
５３    幼児用グリップハンドル
５４    開口部
５５    前壁部
５６    前底板部
５７    前底兼前用ステップ部材
６０    前半部側壁部
６１    前ガード部
６２    後ガード部
６３    サイドステップ部
６４    前半部側壁兼ステップ部材
７３    前壁部兼延長背凭れ部
【図１】
2006248382.tif 000003
【図２】
2006248382.tif 000004
【図３】
2006248382.tif 000005
【図４】
2006248382.tif 000006
【図５】
2006248382.tif 000007
【図６】
2006248382.tif 000008
【図７】
2006248382.tif 000009
【図８】
2006248382.tif 000010
【図９】
2006248382.tif 000011
【図１０】
2006248382.tif 000012
【図１１】
2006248382.tif 000013